(57)【要約】【課題】  被勧誘者と勧誘者間の人間関係が気まずさせず、簡単に被勧誘者の存在を見つけられ、勧誘者にとってはアイテムやポイントを有効に獲得することが可能となり、一方勧誘者のメールアドレスなどの個人情報を第三者に知られることがないなどのメリットを有する、会員勧誘システムを提供する。【解決手段】  ホストオペレーターが運営する仲介サイトを備え、勧誘者が対象とする勧誘サイトへ被勧誘者を募るための勧誘サイトの提案項目を受付けるための提案受付け手段を備え、この提案受付け手段で受付けられた個別の提案項目にしたがって、被勧誘者が目的の勧誘サイトに入会するための個別の申込みを受付けるための申込み受付け手段を備え、前記仲介サイト上で勧誘者と被勧誘者間での資格ポイントを調整できるように構成したことを特徴とする。【選択図】  図１
2012190200.tif 000002
【特許請求の範囲】
【請求項１】
ホストオペレーターが運営する仲介サイトを備え、
勧誘者が対象とする勧誘サイトへ被勧誘者を募るための勧誘サイトの提案項目を受付けるための提案受付け手段を備え、
この提案受付け手段で受付けられた個別の提案項目にしたがって、被勧誘者が目的の勧誘サイトに入会するための個別の申込みを受付けるための申込み受付け手段を備え、
前記仲介サイト上で勧誘者と被勧誘者間での資格ポイントを調整できるように構成したことを特徴とするインターネット上で利用可能なＷＥＢサイトへの会員勧誘システム。
【請求項２】
勧誘サイトごとに提案受付け手段及び申し込み受付手段を備えるようにしたことを特徴とする請求項１記載のインターネット上で利用可能なＷＥＢサイトへの会員勧誘システム。
【請求項３】
資格ポイント調整手段は、仲介サイトの管理下で行うようにしたことを特徴とする請求項１または２記載のインターネット上で利用可能なＷＥＢサイトへの会員勧誘システム。
【発明の詳細な説明】
【技術分野】
【０００１】
本発明はインターネット上で利用可能なＷＥＢサイトへの会員勧誘システムに係り、さらに詳しくは、特定のＷＥＢサイトへ第三者を勧誘する側の勧誘者（以下単に、「勧誘者」という）が、その勧誘者の誘いに応じて特定のＷＥＢサイトに入会する側の被勧誘者（以下単に、「被勧誘者」という）をインターネット（以下「ネット」という場合もある）上で勧誘するための、インターネット上で利用可能なＷＥＢサイトへの会員勧誘システムに関する。
【背景技術】
【０００２】
従来のＷＥＢサイトへの会員勧誘システムは、モバゲータウン（登録商標）やGREE（登録商標）及びそのシステムが類似するサイト（以下、「勧誘サイト」という）において知り合いや友人を目的の勧誘サイトに招待、勧誘して誘った人が新規のユーザーとして入会するとアイテムやポイント等をもらえるという特典がある。
【０００３】
また勧誘サイト内でも知り合いや友人をサイト内のゲームやアプリ等に招待して該当者が新規のユーザーとして入会したり、あるいは誘われて入ったゲームやアプリ等で一定レベルまで達すると、勧誘者にそのゲームやアプリ等の主催者からアイテムやポイント等が与えられるという特典がある。
勧誘者からみれば、この2つの特典を獲得することで、勧誘サイト内で快適にあるいは有利にサイト内のゲーム等のコンテンツを利用できるということになる。
【０００４】
このような新規顧客を紹介、勧誘してくれたお客に対しての特典の付与は一般の店舗やオンラインショッピングストアー等でもよくある顧客勧誘手段であり、上記の勧誘サイトでは勧誘もネット上（オンラインで）で行なわれ、勧誘者の識別のためにユーザーIDや携帯個別識別番号及びメールアドレスなどが使われる。
【０００５】
勧誘サイトでは入会しても、ゲーム登録しても基本料金は無料であり、アイテム課金となっているため、アイテムやポイントを購入しない限り、被勧誘者が新規に入会してもあるいはゲーム登録してもお金が課金されることはない。このような理由から、被勧誘者は勧誘者のために勧誘サイトに入会してあげても、それだけではお金がかかるということはない。
【０００６】
従来の会員制のオンラインサービスへの勧誘（招待）方法としては、被勧誘者（招待したい相手）の携帯電話のメールアドレスに、勧誘者（招待したい人）がその勧誘サイトが発行した勧誘メールを送る。このメールに記載されているリンクアドレスには、会員の誰が勧誘したのかがわかるように特定の会員（勧誘者）を識別できる記号がついている。このリンクアドレスから誘導されて新規会員（被勧誘者）になることにより、誰が勧誘しテ会員になったのかを判別する仕組みである。したがって、勧誘者から被勧誘者に宛てて勧誘メールを送る必要があった。
【０００７】
加入済みのサイトの内部会員を、自分の遊んでいるゲーム等他の勧誘サイトに勧誘する際の勧誘方法としては、相手を識別するためのＩＤ番号あるいはニックネーム等が必要であり、また事前に友達（モバトモやトモダチ）になっておく必要がある場合も多い。
【０００８】
上記のように、従来の勧誘システムでは、相手がそのゲームやアプリ等に興味がないと一旦誘っても断られる場合があり、その場合には両者（勧誘者と被勧誘者）の関係が気まずくなる恐れ、つまり勧誘しても断られるというリスクの問題があった。
さらに、勧誘者のメールアドレス等の個人情報が被勧誘者に知られてしまうという問題があった。
【先行技術文献】
【特許文献】
【０００９】
【特許文献１】特開２００９−９３２７２
【発明の概要】
【発明が解決しようとする課題】
【００１０】
本発明は、上記の問題を解消して、被勧誘者と勧誘者間の人間関係が気まずくなるという問題の発生を未然に防止し、簡単に被勧誘者の存在を見つけ出すことができ、その結果勧誘者にとってはアイテムやポイントを有効に獲得することが可能となり、一方勧誘者のメールアドレスなどの個人情報を被勧誘者はもちろんその他の第三者にも知られることがないなどのメリットを有する、信頼性に優れたインターネット上で利用可能なＷＥＢサイトへの会員勧誘システムを提供するものである。
【課題を解決するための手段】
【００１１】
上記目的を達成するために、請求項１記載の発明は、
ホストオペレーターが運営する仲介サイトを備え、
勧誘者が対象とする勧誘サイトへ被勧誘者を募るための勧誘サイトの提案項目を受付けるための提案受付け手段を備え、
この提案受付け手段で受付けられた個別の提案項目にしたがって、被勧誘者が目的の勧誘サイトに入会するための個別の申込みを受付けるための申込み受付け手段を備え、
前記仲介サイト上で勧誘者と被勧誘者間での資格ポイントを調整できるように構成したことを特徴とするインターネット上で利用可能なＷＥＢサイトへの会員勧誘システムである。
【００１２】
請求項２記載の発明は、勧誘サイトごとに提案受付け手段及び申し込み受付手段を備えるようにしたことを特徴とする請求項１記載のインターネット上で利用可能なＷＥＢサイトへの会員勧誘システムである。
【００１３】
請求項３記載の発明は、資格ポイント調整手段は、仲介サイトの管理下で行うようにしたことを特徴とする請求項１または２記載のインターネット上で利用可能なＷＥＢサイトへの会員勧誘システムである。
【発明の効果】
【００１４】
以上述べたように、本発明に係る請求項１乃至３記載のインターネット上で利用可能なＷＥＢサイトへの会員勧誘システムによれば、被勧誘者と勧誘者間の人間関係が気まずくなるという問題の発生を未然に防止し、簡単に被勧誘者の存在を見つけ出すことができ、その結果勧誘者にとってはアイテムやポイントを有効に獲得することが可能となり、一方勧誘者のメールアドレスなどの個人情報を被勧誘者はもちろんその他の第三者にも知られることがないなどの効果がある。
【図面の簡単な説明】
【００１５】
【図１】本発明のシステムの全体構成図である。
【図２】本発明の提案項目と申込みの関係を示すチャート図である。
【発明を実施するための形態】
【００１６】
以下添付図面に基づいて、本発明に係るインターネット上で利用可能なＷＥＢサイトへの会員勧誘システムの実施の形態を詳説する。
本発明は、ホストオペレーターが運営する仲介サイト１を備え、勧誘者２が対象とする勧誘サイトへ被勧誘者３を募るための勧誘サイトの提案項目６を受付けるための提案受付け手段４を備え、この提案受付け手段４で受付けられた個別の提案項目６にしたがって、被勧誘者３が目的の勧誘サイトに入会するための個別の申込み７を受付けるための申込み受付け手段５を備え、前記仲介サイト１上で勧誘者２と被勧誘者３間での資格ポイントを調整できる資格ポイント調整手段８を備えたことを特徴とするインターネット上で利用可能なＷＥＢサイトへの会員勧誘システムである。
【実施例１】
【００１７】
図１及び図２に従って本発明システムの構成及びステップを説明する。
勧誘者２が端末を介して仲介サイト１のホームページのサイト１０にアクセスすると、複数の具体的勧誘サイトの一覧が表示される。勧誘者２は、一覧の中から目的の勧誘サイト（例えば○△のゲームのサイト）のページを開き、その該当ページに提案項目６を送信し、提案受付け手段４にて提案項目表示欄に具体的な提案項目６を登録し、受付を完了しておく。
【００１８】
一方被勧誘者３は、具体的勧誘サイトの一覧から、自分が会員になりたい勧誘サイト（例えば凸凹のゲームのサイト）のページを開き、その該当ページに申込み７を送信し、申込み受付け手段５にて提案項目表示欄に応答する申込みを行うか、あるいは該当する提案項目が存在しない場合には、申込み表示欄に具体的な申込み７を登録し、受付を完了しておく。
上記の提案項目６と申込み７は便宜上の区分けであり、両者の間で入れ替えを行うことはもちろん可能である。
【００１９】
上記のことをさらに具体的に説明すると、仲介サイト１では数百から数千ある多数の勧誘サイトからゲームやアプリ等の一覧を用意する。
勧誘者２または被勧誘者３は、具体的な勧誘サイトをゲームやアプリ一覧より選択する。
例えば、自分の推奨する勧誘サイトの勧誘を行いたい場合には、あるゲームやアプリの勧誘サイトに従って会員となる手続を踏んでおくと、勧誘者２として勧誘サイトの提案項目を登録できる資格ポイントが獲得でき、その資格ポイントに従い本発明の会員勧誘システムに参加できることとなる。
【００２０】
会員に入ってもらう者と入ってあげる者との希望者数の違いや獲得できるメリットの違いにより、会員に入ってあげたときに得られる、入ってもらえる資格ポイントの大きさ（数値、ポイント、マークなど）の値は異なる場合がある。
その調整は、資格ポイント調整手段８において行われる。
【００２１】
手順例
Aさんは○というゲームに誰かに入ってほしいので、
Bさんが希望している△というゲームに入ってあげる。
BさんはAさんに入ってもらうことによりゲーム内のアイテムを獲得する
この段階で、Bさんは仲介サイト１内で誰かに会員に入ってもらう権利Ｘ（数値に変動はあり）を失う
【００２２】
AさんはBさんの△というゲームに入ってあげることで、誰かに入ってもらう権利Ｘ（数値に変動はあり）を獲得する。
Aさんは獲得した誰かに入ってもらう権利Ｘ（数値に変動はあり）を使って自分が入ってもらいたい、勧誘サイト、すなわち○というゲームに誰かに入ってもらうための告知を仲介サイト１の提案項目表示欄へ登録する。
被勧誘者３の誰かが、Aさんの提案項目（告知）に応じて、勧誘サイトの会員に入るための申し込みを行い、会員となってあげる。
【００２３】
本発明の仲介サイト１では個々のユーザーの登録したメールアドレスは非表示あるいは非表示設定を選択できるようにしてある。
仲介サイト１内で各会員間の情報公開レベルはIDあるいはニックネームなど相手を特定できるがメールアドレスは非表示あるいは非表示設定可能状態にしておくので、勧誘（招待）したい相手を選択してユーザーがどの勧誘サイト（会員制サイト）に招待したいかも一覧から選択できるようにしてある。
【００２４】
勧誘者２が一覧より希望するサイトを選択し（例、○△のゲームのサイト）相手を選択（例、ID1234567、花子）する。
仲介サイト１のシステムとして、勧誘者２が○△のゲームのサイトの招待メールを起動するページに誘導する。
勧誘者２は、そのメールを該当する相手ではなくて仲介サイト１宛に送る。
この場合、勧誘者２のメールでは自動で仲介サイト１のアドレスを入力、あるいは自動で入力するシステム、仲介サイト１のアドレスを添付するシステムのいずれかになっている。
【００２５】
従来は招待メールを送った相手を招待することになるので、このままでは仲介サイト１を招待することになってしまうが、勧誘者２がメールを送る前に招待したい相手を選択しているのでユーザーからの招待希望メールを仲介サイト１が受け取ると、仲介サイトではユーザーが誰をどこに招待したいのかということを把握することが出来る。
【００２６】
仲介システムより勧誘者２が招待したい相手（例、ID1234567、花子）に、勧誘者２より送られてきたメールに表示されているユーザーの識別情報リンクのついた招待メールを被勧誘者３に送る。
被勧誘者３（ID1234567、花子）は識別情報の付いたアドレスをクリック（プッシュ）することにより被勧誘者３（ID1234567、花子）は該当サイトへの入会手順を進めていくことが出来る。
この場合、勧誘者２（招待した人）のIDかニックネーム（あるいは両方）は知っていても、携帯メールアドレスは知らないまま一連の操作を進めることが可能になる。
【００２７】
従来の「紹介キャンペーン」を行っている販売店、オンラインショップ、SNSなどは非常に多い。これは新規顧客獲得方法として一般的なものである。だがこれまでは当然のことながら紹介したい人が紹介したい相手に連絡して相手を誘う必要があった。当然この場合、自分の個人情報（メールアドレスや電話番号）は紹介したい相手に知らせる必要があった。だが本発明では開示したくない個人情報を相手に知られること無く招待できるようになる。しかも招待が成立して報酬をもらうことも出来るようになるのである。
【産業上の利用可能性】
【００２８】
本発明のインターネット上で利用可能なＷＥＢサイトへの会員勧誘システムは、信頼性の高い会員勧誘サイトにおいて、勧誘者と被勧誘者間で利用することが効果的であるである。
【符号の説明】
【００２９】
１…仲介サイト
２…勧誘者
３…被勧誘者
４…提案受付け手段
５…申込み受付け手段
６…提案項目
７…申込み
８…資格ポイント調整手段
１０…ホームページのサイト
【図１】
2012190200.tif 000003
【図２】
2012190200.tif 000004